(57)【要約】  内容物（８）を有する容器（９）、特にプラスチック、ガラス等から作られた瓶等のための閉止装置（１）は、容器（９）の首部（７）に密封的に接続するための、特にプラスチックから作られたキャップ（２）を備え、首部は縁（６）を有する。首部（７）の切除幅（Ｄ）の領域内には、少なくとも１個の切刃（１１）がキャップの中心軸の回りに配置され、縁（６）に密着された封止膜（１２）を通過して軸方向に移動される間に封止膜（１２）を切断することが意図されている。キャップ（２）にねじ込んだり、キャップ（２）から取り外したりできるネジキャップ（１９）が設けられている。このネジキャップ（１９）がねじ込まれている間に、少なくとも１個の切刃（１１）を封止膜（１２）の方向に変位させることができる。このネジキャップ（１９）は、封止膜（１２）がまだ損傷を受けていない初期ねじ込み位置を有すると共に、この位置から更にねじ込まれると、終端停止ねじ込み位置をとり、この位置で、少なくとも１個の切刃（１１）によって封止膜（１２）に穴が開けられる。ネジキャップ（１９）は、スポーツキャップと同様に注ぎ用及び／又は飲用開口部（２２）を有する。少なくとも１個の切刃（１１）を有する軸方向プランジャ（２５）がキャップ（２）とネジキャップ（１９）との間において中心部に配置され、キャップ（２）の横断壁（１８）の同軸ガイド（２６）内に変位可能に案内されている。【選択図】図１
2009509885.tif 000002
【特許請求の範囲】
【請求項１】
内容物（８）を有する容器（９）、特にプラスチック、ガラス等から作られた瓶等のための閉止装置（１）であって、縁（６）を有する容器（９）の首部（７）に密封的に接続するための、特にプラスチックから作られたキャップ（２）と、首部（７）の切除幅（Ｄ）の領域内でキャップ（２）の中心軸の回りに配置された少なくとも１個の切刃（１１）とを備え、少なくとも１個の切刃（１１）が縁（６）に密着された封止膜（１２）を通過して軸方向に移動される間に封止膜（１２）を切断するようになっており、更にキャップ（２）の上部横断壁（１８）に雄ネジ（１６）を有する同心接続ピース（１７）と、この接続ピース（１７）にねじ込んだり接続ピース（１７）から取り外したりできるネジキャップ（１９）とを備え、ネジキャップ（１９）の蓋部内側（２０）に少なくとも１個の操作部材（２１）が配置され、この操作部材（２１）によって、接続ピース（１７）にネジキャップ（１９）がねじ込まれる時に少なくとも１個の切刃（１１）が封止膜（１２）の方向に移動され得るようになっており、ネジキャップ（１９）は、封止膜（１２）が損傷されていない初期ねじ込み位置（図１）を有すると共に、この位置から更にねじ込まれると終端停止ねじ込み位置（図３）をとり、この位置で少なくとも１個の切刃（１１）によって封止膜（１２）に穴が開けられるようにした閉止装置において、
ａ）キャップ（２）はねじ込まれた後、瓶（９）の首部（７）上に永久に留まり、
ｂ）ネジキャップ（１９）はスポーツキャップと同様に注ぎ用及び／又は飲用開口部（２２）を有しており、
ｃ）キャップ（２）とネジキャップ（１９）との間の中心部にキャップ（２）の軸方向内面（２４）に当接している軸方向プランジャ（２５）が配置され、キャップ（２）の横断壁（１８）の同軸ガイド（２６）内で変位可能に案内されており、このプランジャ（２５）は少なくとも１個の切刃（１１）を有していて、一方ではネジキャップ（１９）をキャップ（２）に当接させることによりキャップ（２）に対して密封させるのに適し、他方ではプランジャ（２５）が変位した時に、封止膜（１２）に穴を開ける目的で少なくとも１個の切刃（１１）を同心的に封止膜（１２）に対して移動させるのに適しており、この終端停止ねじ込み位置においては封止膜（１２）に穴が開けられて、プランジャ（２５）とキャップ（２）との間で通路（２７）が開かれており、
ｄ）ネジキャップ（１９）の蓋部内側（２０）と、これに対向するプランジャ（２５）の端面（２８）との間に、互いに軸方向に変位しないように噛み合うタペット（２９）と相手部材（３０）とからなる同心の連結部が操作部材（２１）として設けられ、タペット（２９）とその相手部材（３０）が互いに相対的に位置決めされていて、ネジキャップ（１９）が終端停止ねじ込み位置までねじ込まれると、瓶内容物（８）がネジキャップ（１９）に向かって、且つその注ぎ用及び／又は飲用開口部（２２）に向かって流れることが許容されるようになっていて、更にねじ込まれる時にプランジャ（２５）が封止膜（１２）まで変位して、プランジャ（２５）とキャップ（２）との間の密封が失われると共に、プランジャ（２５）に配置された切刃（１１）が封止膜（１２）に穴を開けることによって行われ、及び
ｅ）ネジキャップ（１９）が反対方向に、ひいてはその初期位置までねじ戻されると、プランジャ（２５）を再びキャップ（２）と密封的に当接させることができて、ネジキャップ（１９）及びその注ぎ用開口部（２２）への通路（２７）が再び中断されることを特徴とする閉止装置（１）。
【請求項２】
キャップ（２）は縁（６）を有する容器（９）の首部（７）の雄ネジ（５）にねじ込むための、雌ネジ（３）を備えた筒部（４）を有する第１のネジキャップとして形成され、ネジキャップ（１９）は第２のネジキャップとして形成されていることを特徴とする、請求項１に記載の閉止装置。
【請求項３】
容器（９）の首部（７）は、首部（７）の縁（６）の環状封止面（３２）に密着された封止膜（１２）によって最初は気密に閉じられていることを特徴とする、請求項１又は２に記載の閉止装置（１）。
【請求項４】
プランジャ（２５）に少なくとも１個の切刃（１１）が形成されていることを特徴とする、請求項１又は２に記載の閉止装置（１）。
【請求項５】
プランジャ（２５）の外周に４個の切刃（１１）がそれぞれ互いに９０°ずらして配置されていることを特徴とする、請求項１又は２に記載の閉止装置（１）。
【請求項６】
各々の切刃（１１）は、閉止装置（１）の縦軸（５０）に対して実質的に平行にプランジャ（２５）の外周に配置され、両側が開いていて、切刃（１１）と共にプランジャ（２５）の下側（５２）を越えて封止膜（１２）の方向に延在する、それぞれ１個の管部（５１）に設けられていることを特徴とする、請求項１〜５のいずれか１項に記載の閉止装置（１）。
【請求項７】
各々の切刃（１１）は、封止膜（１２）に対向した各々の管部（５１）の終端面（５３）が縦軸（５０）に対して斜めに延在することにより形成されていることを特徴とする、請求項６に記載の閉止装置（１）。
【請求項８】
管部（５１）の終端面（５３）は、封止膜（１２）に最も接近している部分の領域で縦軸（５０）に対して最も急傾斜していて、この最も大きい角度で傾斜している部分に切刃（１１）が形成されており、これと反対側の部分の領域では終端面（５３）はより平坦に形成されていて、終端面（５３）が封止膜（１２）を通過する時に封止膜（１２）は一部のみ突き破られ、それぞれ一部切断された片（５６）が形成されて矢印Ａの方向（図３）に離れて開くようにしたことを特徴とする、請求項７に記載の閉止装置（１）。
【請求項９】
終端面（５３）の反対側の部分が、縦軸（５０）に近い半径方向内側の部分であることを特徴とする、請求項８に記載の閉止装置（１）。
【請求項１０】
終端面（５３）が凹状に湾曲して形成されていることを特徴とする、請求項８又は９に記載の閉止装置（１）。
【請求項１１】
一部切断された片（５６）が確実に下に開くように、終端面（５３）の反対側の部分に押圧隆起部（５５）が設けられている（図３及び図５）ことを特徴とする、請求項８、９又は１０に記載の閉止装置（１）。
【請求項１２】
中心接続ピース（１７）の雄ネジ（１６）が第２のネジキャップ（１９）のネジ山と共に調節ネジ（１６／１９）を形成し、一方の回転方向で容器（９）を開かせ、他方の回転方向で容器（９）を閉じさせるために、ネジキャップ（１９）をその都度１回転未満の回転をさせればよいようにしたことを特徴とする、請求項１又は２に記載の閉止装置（１）。
【請求項１３】
タペット（２９）が第２のネジキャップ（１９）の内側の中心部に配置され、その相手部材（３０）のソケットがプランジャ（２５）の対向する側に配置されていることを特徴とする、請求項１又は２に記載の閉止装置（１）。
【請求項１４】
タペット（２９）は回転可能であるが、軸方向に変位しないようにソケット（３０）内に突入係止できることを特徴とする、請求項１３に記載の閉止装置（１）。
【請求項１５】
タペット（２９）とソケット（３０）が互いにプレスばめされていることを特徴とする、請求項１３に記載の閉止装置（１）。
【請求項１６】
タペット（２９）とソケット（３０）がネジ結合されていることを特徴とする、請求項１３に記載の閉止装置（１）。
【請求項１７】
プランジャ（２５）は、ソケット（３０）を形成する同軸棒状突起を備えた平坦な円板であり、この棒状突起の外周が、第１のネジキャップ（２）の横断壁（１８）に設けた直径の等しい同軸貫通開口部と共に同軸ガイド（２６）をなしており、このガイド（２６）は第２のネジキャップ（１９）の初期ねじ込み位置においてプランジャ（２５）と第１のネジキャップ（２）との間に密封を形成することを特徴とする、請求項１又は２に記載の閉止装置（１）。
【請求項１８】
プランジャ（２５）の上側（３４）に１個以上の別のガスケット（３６）が設けられて、それぞれリングガスケットの形をして第１のネジキャップ（２）に当接可能であることを特徴とする、請求項１７に記載の閉止装置（１）。
【請求項１９】
通路（２７）は、スリーブ（３０）の突起の外周に互いに間隔を置いて設けられた切欠き部（４１）によって形成されており、これらの切欠き部（４１）は、第２のネジキャップ（１９）がその終端停止ねじ込み位置に接近してから初めて同軸ガイド（２６）の領域に達することにより第１のネジキャップ（２）の同軸貫通開口部の壁と結合することを特徴とする、請求項１又は２に記載の閉止装置（１）。
【請求項２０】
第１のネジキャップ（２）は、容器（９）の首部（７）の雄ネジ（５）にねじ込むために設けられた雌ネジ（３）の上方に、封止膜（１２）によって密封されている首部（７）の縁（６）の軸方向部分に当接するための第１の環状可撓性シールリップ（４２）を有することを特徴とする、請求項１又は２に記載の閉止装置（１）。
【請求項２１】
第１のネジキャップ（２）は、容器（９）の首部（７）の雄ネジ（５）にねじ込むために設けられた雌ネジ（３）の上方で、第１の可撓性シールリップ（４２）と筒部（４）との間に第２のシールリップ（４３）を有することを特徴とする、請求項２０に記載の閉止装置。
【請求項２２】
第１のネジキャップ（２）が容器（９）にねじ込まれると第２のシールリップ（４３）が容器（９）に留まる目的で縁（６）によって拡張されて、続いて縁（６）と第１のネジキャップ（２）の壁との間に挟み付けられることを特徴とする、請求項２１に記載の閉止装置（１）。
【請求項２３】
第２のネジキャップ（１９）が内側カラー（４４）を有しており、内側カラー（４４）は第１のネジキャップ（２）にねじ込まれた後でその接続ピース（１７）の内部に留まり、その外側に接続ピース（１７）の内壁（４６）に対して密封するための少なくとも１個の環状シールリップ（４５）を有することを特徴とする、請求項１又は２に記載の閉止装置（１）。
【請求項２４】
第２のネジキャップ（１９）と接続ピース（１７）が左ネジ結合（１６、３３）を有することを特徴とする、請求項１又は２に記載の閉止装置（１）。
【発明の詳細な説明】
【技術分野】
【０００１】
本発明は、内容物を有する容器、特にプラスチック、ガラス等から作られた瓶等のための閉止装置であって、縁を有する容器の首部に密封的に接続するための、特にプラスチックから作られたキャップと、首部の切除幅の領域内でキャップの中心軸の回りに配置された少なくとも１個の切刃とを備え、少なくとも１個の切刃が縁に密着された封止膜を通過して軸方向に移動される間に封止膜を切断するようになっており、更にキャップの上部横断壁に雄ネジを有する同心接続ピースと、この接続ピースにねじ込んだり接続ピースから取り外したりできるネジキャップとを備え、ネジキャップの蓋部内側に少なくとも１個の操作部材が配置され、この操作部材によって、接続ピースにネジキャップがねじ込まれる時に少なくとも１個の切刃が封止膜の方向に移動され得るようになっており、ネジキャップは、封止膜が損傷されていない初期ねじ込み位置を有すると共に、この位置から更にねじ込まれると終端停止ねじ込み位置をとり、この位置で少なくとも１個の切刃によって封止膜に穴が開けられるようにした閉止装置に関する。
【背景技術】
【０００２】
ＷＯ２００４／１１３１８４Ａ２により知られているこのような構造の閉止装置は、封止膜が開き、ここで想定されている容器内容物に混入すべき成分が完全に放出された後、容器内容物を幾分か取り出したい時は、キャップをネジキャップと共に容器首部から取り外さなければならない。容器内容物を一部取り出した後で容器を再び閉じたい時は、閉止装置全体を再びねじ込まなければならない。従って、閉止装置を取り外して容器の内容物を取り出す時、例えば内容物が飲料である場合は瓶から飲む時や、容器又は瓶を再び閉じる目的で閉止装置を再度ねじ込む時には、利用者は両手を使用する。それにも関わらずこの場合、閉止装置が容器又は瓶から分離することによって、閉止装置が利用者又は飲用者の手から落ちる危険が常に存在する。
【０００３】
【特許文献１】ＷＯ２００４／１１３１８４Ａ２
【０００４】
更にいわゆるスポーツキャップとして知られている閉止部材が存在する。これらの閉止部材は容器を開いて内容物を取り出すために部分的にのみ取り外せばよく、容器又は瓶の首部上に留まることができる。なぜならば、そのようなスポーツキャップは部分的にのみ取り外すだけで開き、再度ねじ込むことによって再び閉じることのできる取り出し口を有するからである。このようなスポーツキャップにより、スポーツ選手、特に自転車選手はスポーツをしている最中に両手を使う必要なく、場合によっては瓶の閉止装置が失われる危険もなく飲むことが可能となる。しかしこれら公知のスポーツキャップは容器内容物に到達することができないため、封止膜によって閉じられた容器若しくは瓶には使用できない。
【発明の開示】
【発明が解決しようとする課題】
【０００５】
本発明の基本的課題は、封止膜で閉じられた容器若しくは瓶においても、スポーツキャップの機能も満たすことに適している、冒頭に記載した構造の閉止装置を提供することである。
【課題を解決するための手段】
【０００６】
上述の課題は、本発明により以下のように解決される。即ち、
ａ）キャップはねじ込まれた後、瓶の首部上に永久に留まり、
ｂ）ネジキャップはスポーツキャップと同様に注ぎ用及び／又は飲用開口部を有しており、
ｃ）キャップとネジキャップとの間の中心部にキャップの軸方向内面に当接している軸方向プランジャが配置され、キャップの横断壁の同軸ガイド内で変位可能に案内されており、このプランジャは少なくとも１個の切刃を有していて、一方ではネジキャップをキャップに当接させることにより容器とネジキャップをキャップに対して密封させるのに適し、他方ではプランジャが変位した時に、封止膜に穴を開ける目的で少なくとも１個の切刃を同心的に封止膜に対して移動させるのに適しており、この終端停止ねじ込み位置においては封止膜に穴が開けられて、プランジャとキャップとの間で通路が開かれており、
ｄ）ネジキャップの蓋部内側と、これに対向するプランジャの端面との間に、互いに軸方向に変位しないように噛み合うタペットと相手部材とからなる同心の連結部が操作部材として設けられ、タペットとその相手部材が互いに相対的に位置決めされていて、ネジキャップが終端停止ねじ込み位置までねじ込まれると、瓶内容物がネジキャップに向かって、且つその注ぎ用及び／又は飲用開口部に向かって流れることが許容されるようになっていて、これは更にねじ込まれる時にプランジャが封止膜まで変位して、プランジャとキャップとの間の密封が失われると共に、プランジャとネジキャップとの間の密封も失われ、プランジャに設けられた切刃が封止膜に穴を開けることによって行われ、
ｅ）ネジキャップが反対方向に、ひいてはその初期位置までねじ戻されると、プランジャを再びキャップと密封的に当接させることができ、ネジキャップ及びその注ぎ用開口部への通路が再び中断される。
【０００７】
キャップと容器の首部との密封接続は、例えば溶接や接着等、種々の方法で行うことができる。しかし現在最も普通に用いられている方法は、上述した最近の従来技術に従い、第１のネジキャップとして形成することであり、それにより上述したキャップは第２のネジキャップとなる。その違いはまさに、上述の刊行物による上述した従来技術において容器の内容物に到達しようとすると、この第１のネジキャップ、従って閉止装置全体を取り外さなければならないが、本発明の対象ではキャップは瓶の首部に密封的に取り付けた後は、たとえこれが第１のネジキャップとして形成された場合でも常に首部に留まることができる点にある。キャップが溶接、封着、熱収縮等によって取り付けられるならば、それが留まっていることは明らかである。
【０００８】
それゆえ本発明による閉止装置は、第１のネジキャップであるキャップが、縁を備えた容器の首部の雄ネジにねじ込むための雌ネジを備えた筒部を有しており、ネジキャップが第２のネジキャップとして形成されていることが好都合である。
【０００９】
以上により、本発明が対象とするねじ込み閉止装置は、内容物を有する容器、特にプラスチック、ガラス等から作られた瓶等の、縁を有する容器の首部の雄ネジにねじ込むための、雌ネジを備えた筒部を有する、特にプラスチックから作られた第１のネジキャップと、首部の切除幅の領域内に配置された少なくとも１個の切刃とを備え、少なくとも１個の切刃が縁に密着された封止膜を通過して軸方向に移動される間に封止膜を切断するようになっており、更に第１のネジキャップの上部横断壁に雄ネジを有する同心接続ピースと、この接続ピースにねじ込んだり接続ピースから取り外したりできる第２のネジキャップとを備え、ネジキャップの蓋部内側に少なくとも１個の操作部材が配置され、この操作部材によって、接続ピースに第２のネジキャップがねじ込まれる時に少なくとも１個の切刃が封止膜の方向に移動され得るようになっており、この第２のネジキャップは、封止膜がまだ損傷されていない初期ねじ込み位置を有すると共に、この位置から更にねじ込まれると終端停止ねじ込み位置をとり、この位置で少なくとも１個の切刃によって封止膜に穴が開けられるようになっている。
【００１０】
上述の公知の構成から出発して、本発明の課題の第１の解決手段に対応する変形例によると、
ａ）第１のネジキャップはねじ込まれた後、瓶の首部上に永久に留まり、
ｂ）第２のネジキャップはスポーツキャップと同様に注ぎ用及び／又は飲用開口部を有しており、
ｃ）第１のネジキャップと第２のネジキャップとの間の中心部に第１のネジキャップの軸方向内面に当接している軸方向プランジャが配置され、第１のネジキャップの横断壁の同軸内で変位可能に案内されており、このプランジャが少なくとも１個の切刃を有していて、一方では第２のネジキャップを第１のネジキャップに当接させることにより第１のネジキャップに対して密封させるのに適し、他方ではプランジャが変位した時に、封止膜に穴を開ける目的で少なくとも１個の切刃を同心的に封止膜に向かってその終端位置に移動させるのに適しており、この終端位置においては封止膜に穴が開けられて、プランジャと第１のネジキャップとの間で通路が開かれており、
ｄ）第２のネジキャップの蓋部内側と、これに対向するプランジャの端面とに間に、互いに軸方向に変位しないように噛み合うタペットと相手部材とからなる同心の連結部が操作部材として設けられ、タペットとその相手部材が互いに相対的に位置決めされていて、第２のネジキャップが終端停止ねじ込み位置までねじ込まれると、瓶内容物が第２のネジキャップに向かって、且つその注ぎ用及び／又は飲用開口部に向かって流れることが許容されるようになっていて、これは更にねじ込まれる時にプランジャが封止膜まで変位して、プランジャと第１のネジキャップとの間の密封が失われると共に、プランジャと第２のネジキャップとの間の密封も失われ、プランジャに配置された切刃が封止膜に穴を開けることによって行われ、
ｅ）第２のネジキャップが反対方向に、ひいてはその初期位置までねじ戻されると、プランジャを再び第１のネジキャップと密封的に当接させることができて、第２のネジキャップ及びその注ぎ用開口部への通路が再び中断される。
【００１１】
本発明により、容器内容物の少なくとも一部を取り出すために閉止装置を完全に首部から取り外し、容器を再度閉じるために再び苦労して被せる必要はない。容器内容物を注ぎ出すか、或いは飲めるようにするために、ネジキャップ又は第２のネジキャップを緩めるか、或いは部分的にねじ込めば十分である。これはスポーツをしている間、例えば自転車に乗っている間、食品瓶や飲料瓶において特に有利である。しかしもちろん本発明は飲料用若しくは食品用の容器に限定されるものではない。
【００１２】
容器の首部が、首部の縁の円形封止面に密着された封止膜によって最初気密に閉じられている。
【００１３】
中心接続ピースの雄ネジが第２のネジキャップのネジ山と共に調節ネジを形成して、一方の回転方向で容器を開け、他方の回転方向で容器を閉じるために、その都度１回転未満の回転だけで済むことが非常に有利である。これにより利用者は、容器又は瓶を片手で持ち、同じ手の親指と人差し指で第２のネジキャップの開閉が容易にできるようになる。
【００１４】
この場合、タペットを第２のネジキャップの内側に配置し、ソケットを支持スリーブの対向する側に配置すると好ましいことが分かった。
【００１５】
好適な実施形態によれば、タペットは回転可能であるが、軸方向に変位しないようにソケット内に突入係止できるようになっている。しかし、タペットとソケットとの間に適切なネジ結合を設けて、第２のネジキャップをねじ込む時に第１のネジキャップに対するソケットの移動距離を増すようにしてもよいことは明らかである。
【００１６】
他方で、場合によってはタペットとソケットが互いにプレスばめされていれば十分である。しかしネジ結合をする場合は、移動距離を増大させるために右ネジ結合が適切である。
【００１７】
プランジャがソケットを形成する同軸棒状突起を備えた実質的に平坦な円板であり、この棒状突起の外周が、第１のネジキャップの横断壁に設けた直径の等しい同軸貫通開口部と共に同軸ガイドをなしており、このガイドが第２のネジキャップの初期ねじ込み位置においてプランジャと第１のネジキャップとの間で密封を形成することが有利である。
【００１８】
プランジャの上側に１個以上の別のガスケットを設け、これらがそれぞれリングガスケットの形をして第１のネジキャップに当接可能であると有利であることが分かった。
【００１９】
該通路は、棒状突起の外周に互いに間隔を置いて設けられた切欠き部によって形成されており、これらの切欠き部は、第２のネジキャップがその終端停止ねじ込み位置に接近してから初めて同軸ガイドの領域に達することにより、第１のネジキャップの同軸貫通開口部の壁と結合することができる。
【００２０】
第１のネジキャップが、容器の首部の雄ネジにねじ込むために設けられた雌ネジの上方に、封止膜によって密封されている首部の縁の半径方向部分に当接するための第１の環状可撓性シールリップを有することが合理的である。
【００２１】
第１のネジキャップが、容器の首部の雄ネジにねじ込むために設けられた雌ネジの上方で、第１の可撓性シールリップと筒部との間に第２のシールリップを有してもよい。
【００２２】
第１のネジキャップが容器にねじ込まれると、この第２のシールリップが容器に留まる目的で縁によって拡張されて、続いて縁と第１のネジキャップの壁との間に挟み付けられるようにすると、首部と第１のネジキャップとの間に特に良好な永久的密封が得られる。
【００２３】
最後に、第２のネジキャップが内側カラーを有しており、内側カラーは第１のネジキャップにねじ込まれた後でそのはめ管の内部に留まり、更にその外側にはめ管の内壁に対して密封するための少なくとも１個の環状シールリップを有してよい。
【００２４】
この場合、第２のネジキャップと接続ピースが左ネジ結合されていることが好ましい。左ネジ結合の利点は、第２のネジキャップが左回転すると容器又は瓶があき、右回転すると閉じるという、消費者が慣れている操作ができることである。ここで消費者が慣れていないのは、開けるときは第２のネジキャップを接続ピースにねじ込み、閉じる時は第２のネジキャップを第１のネジキャップの接続ピースから部分的に取り外すことだけである。
【発明を実施するための最良の形態】
【００２５】
以下に本発明及びその有利な構成を図面に示した実施例に基づき詳細に説明する。
【００２６】
図１、図３及び図４は、第１のネジキャップ２を有する、特にプラスチックからなる閉止装置１を示し、第１のネジキャップ２は内容物８を有する容器９、特にプラスチック、ガラス等から作られた瓶等の、縁６を付けた首部７の雄ネジ５にねじ込むための、雌ネジ３を備えた筒部４を有する。この第１のネジキャップ２はその筒部４の自由端に、いわゆるオリジナル閉止装置４’を有する。これは首部７に係着しており、第１のネジキャップ２を再び取り外す必要がある場合に引き裂けるが、このようなことは通常起こらない。
【００２７】
閉止装置１は更に、首部７の切除幅Ｄの領域内に配置された少なくとも１個の切刃１１を有しており、この少なくとも１個の切刃１１が矢印Ａの方向に封止膜１２を通過する間に、縁６に密着された封止膜１２に穴を開ける。
【００２８】
更に、第１のネジキャップ２の上部横断壁１８に雄ネジ１６を有する同心接続ピース１７と、この接続ピース１７に雌ネジ３３によってねじ込んだり接続ピース１７から取り外したりできる第２のネジキャップ１９があり、第２のネジキャップ１９の蓋部内側２０に少なくとも１個の操作部材２１が配置され、この操作部材２１によって、第２のネジキャップ１９が接続ピース１７にねじ込まれる時に少なくとも１個の切刃１１が封止膜１２の方向に移動され得るようになっている。この場合、第２のネジキャップ１９は図１に示す初期ねじ込み位置をとり、この位置に封止膜１２はまだ損傷されておらず、この位置から更に矢印Ａの方向にねじ込まれると図３に示す終端停止ねじ込み位置をとり、この位置で少なくとも１個の切刃１１によって封止膜１２に穴が開けられる。
【００２９】
本発明に従えば、第１のネジキャップ２はねじ込まれた後、瓶９の首部７上に永久に留まっている。第２のネジキャップ１９はスポーツキャップと同様に注ぎ用及び／又は飲用開口部２２を有する。第１のネジキャップ２と第２のネジキャップ１９に対して相対的に中心部に、第１のネジキャップ２の軸方向内面２４に当接している軸方向プランジャ２５が配置され、第１のネジキャップ２の横断壁１８の同軸ガイド２６内で変位可能に案内されている。このプランジャ２５は少なくとも１個の切刃１１を有する。このプランジャ２５は、一方では第２のネジキャップ１９を第１のネジキャップ２に当接させることにより第１のネジキャップ２に対して密封させるのに適し、他方ではプランジャ２５が矢印Ａ方向に変位した時に、封止膜１２に穴を開ける目的で少なくとも１個の切刃１１を封止膜１２に向かって終端停止ねじ込み位置（図３）に移動させるのに適している。この終端停止ねじ込み位置においては封止膜１２に穴が開けられて、プランジャ２５とネジキャップ２との間に通路２７が開かれている。第２のネジキャップ１９の蓋部内側２０と、これに対向するプランジャ２５の端面２８との間に、互いに軸方向に変位しないように、しかし回転可能に噛み合うタペット２９と相手部材３０とからなる同心の連結部が操作部材２１として設けられる。タペット２９とその相手部材３０が互いに相対的に位置決めされていて、第２のネジキャップ１９が図３に示す終端停止ねじ込み位置まで更にねじ込まれると、瓶内容物８が第２のネジキャップ１９に向かって、且つその注ぎ用及び／又は飲用開口部２２に向かって流れることが許容される。これは更にねじ込まれる時にプランジャ２５が矢印方向Ａで封止膜１２まで変位して、一方ではプランジャ２５と第１のネジキャップ２との間の密封、他方ではプランジャ２５と第２のネジキャップ１９との間の密封が失われることによって起こり、この時プランジャ２５に配置された切刃１１が封止膜１２に穴を開ける。第２のネジキャップ１９が反対方向（図４の矢印方向Ｂ）に、ひいては図１に示すその初期位置までねじ戻されると、プランジャ２５を再び第１のネジキャップ２と密封的に当接させることができ、第２のネジキャップ１９及びその注ぎ用開口部２２への通路１９が再び中断される。
【００３０】
容器９の首部７は、首部７の縁６の環状封止面３２（図２）に密着された封止膜１２によって最初は気密に閉じられている。言うまでもなく、瓶内容物８を流出させようとする時は、図３及び図４に示されるように、切刃１１が封止膜１２に穴を開けなければならない。
【００３１】
プランジャ２５に少なくとも１個の切刃１１が形成されている。
【００３２】
図示された実施例では、プランジャ２５の外周に４個の切刃１１がそれぞれ互いに９０°ずらして配置されている。しかし言うまでもなく、別の数の、また奇数の切刃１１を設けてもよい。
【００３３】
本例では、各々の切刃１１が、それぞれ１個の管部５１に設けられている。管部５１は、閉止装置１の縦軸５０に対して実質的に平行にプランジャ２５の外周に配置され、両側が開いて、切刃１１と共にプランジャ２５の下側５２を越えて封止膜１２の方向に延在する。
【００３４】
図示された実施形態では、各々の切刃１１は、封止膜１２に向けられた各々の管部５１の終端面５３が縦軸５０に対して斜めに延在することによって形成されている。
【００３５】
この場合、管部５１の終端面５３は封止膜１２に向かって最も接近している部分の領域において、縦軸５０に対して最も大きい角度で傾斜しており、この最も急傾斜した部分に切刃１１が形成されている。その一方で、これと反対側の部分の領域では終端面５３はより平坦に形成されていて、終端面５３が封止膜１２を通過する時に封止膜１２は一部のみ突き破られ、それぞれ一部切断された片５６が形成されて矢印Ａの方向（図３）に離れて開く。
【００３６】
終端面５３が、従って終端面５３に隣接している管部５１の領域が封止膜１２を通過することによって、その都度形成された封止膜１２の片５６が跳ね戻って、容器内容物が流れるために形成された開口部が場合によって再び閉じないことが保証されている。
【００３７】
図示された好適な実施形態において、終端面５３の反対側の部分が、縦軸５０に近い終端面５３の半径方向内側の部分であり、この部分は分離機能を有していない。更に、終端面５３全体が凹状に湾曲して形成されている。
【００３８】
一部切断された片５６が特に確実に下に開くように、終端面５３の反対側の、分離機能を有していない部分に、それぞれ１個の押圧隆起部５５が設けられている（図３及び図６）。これら押圧隆起部５５は、それぞれの片５６が特にゆるやかに開かれるようにも働く。
【００３９】
中心接続ピース１７の雄ネジ１６が第２のネジキャップ１９のネジ山３３と共に調節ネジを形成していて、一方の回転方向で容器９を開かせ、他方の回転方向で容器９を閉じさせるために、その都度完全な１回転未満の回転で足りることが好都合である。
【００４０】
図示された実施形態では、タペット２９が第２のネジキャップ１９の内側の中心部に配置され、その相手部材としてソケット３０がプランジャ２５の対向する側に配置されている。
【００４１】
この場合、タペット２９は回転可能であるが、軸方向に変位しないようにソケット３０内に突入係止できる。ノッチ５４参照。
【００４２】
また、タペット２９とソケット３０が互いにプレスばめされていてもよい。その場合、タペット２９はソケット３０を、従ってプランジャ２５を共に回転させ、各々の切刃１１が円形軌道で封止膜１２内に切り込むようにする。
【００４３】
タペット２９はソケット３０にネジ結合されていてもよい。
【００４４】
プランジャ２５は、ソケット３０を形成する同軸棒状突起を備えた平坦な円板であり、この棒状突起の外周が、第１のネジキャップ２の横断壁１８に設けた直径の等しい同軸貫通開口部と共に同軸ガイド２６をなしており、このガイド２６が第２のネジキャップ１９の初期ねじ込み位置においてプランジャ２５と第１のネジキャップ２との間に密封（斜面３１）を形成する。
【００４５】
本例では、プランジャ２５の上側若しくは端面２８に別のガスケットが１個だけ設けられていて、それぞれリングガスケット３６の形をして第１のネジキャップ２の環状溝に当接可能である。必要に応じ、或いは瓶内容物に応じて、この種のガスケットが複数存在してもよい。
【００４６】
通路２７が、ここでは相手部材３０をなしているスリーブの突起の外周に互いに間隔を置いて設けられた切欠き部４１によって形成されている。これらの切欠き部４１は、第２のネジキャップ１９が図３に示す終端停止ねじ込み位置に接近してから初めて同軸ガイド２６の領域に達することにより第１のネジキャップ２の同軸貫通開口部の壁と結合する。
【００４７】
第１のネジキャップ２が、容器９の首部７の雄ネジ５にねじ込むために設けられた雌ネジ３の上方に、最初はまだ封止膜１２によって密封されている首部７の縁６の軸方向部分に当接するための第１の環状可撓性シールリップ４２を有する。
【００４８】
第１のネジキャップ２が、容器９の首部７の雄ネジ５にねじ込むために設けられた雌ネジ５の上方で、第１の可撓性シールリップ４２と筒部４との間に、更に第２のシールリップ４３も有することが有利である。この第２のシールリップ４３は、第１のネジキャップ２が容器９にねじ込まれると、容器９に留まる目的で縁６によって拡張され、続いて縁６と第１のネジキャップ２の壁との間に挟み付けられる。
【００４９】
第２のネジキャップ１９は内側カラー４４を有しており、内側カラー４４は第１のネジキャップ２にねじ込まれた後でその接続ピース１７の内部に留まり、その外側に接続ピース１７の内壁４６に対して密封するための少なくとも１個の環状シールリップ４５を有する。
【００５０】
第２のネジキャップ１９と接続ピース１７は左ネジ結合１６、３３を有することが合理的である。なぜならば、例えば飲料瓶のネジキャップを左回転で開けることに慣れているからである。
【００５１】
機能は、次の通りである。
最初に図１に従ってここでは存在する、好ましくはプラスチックから作られた透明な保護キャップ４８を引き剥がす。容器９又は瓶を開けるために、図３に従い第２のネジキャップ１９を左に停止部４９まで回す。この間にタペット２９とスリーブ３０によってプランジャ２５が図３に示す開放位置に変位される。切刃１１が封止膜１２に穴を開けており、それぞれの管部５１の半径方向内側のエッジ５５（ここでは押圧隆起部の形で存在している）が、発生した封止膜の裂片５６が下方に押し付けられ（図３）、対応する穴が空けられ、容器内容物８は管部５１を通って、場合によっては管部５１と作られた穴との間を通って流れることができる。これによりプランジャ２５と第１のネジキャップ２との間の、流出した容器内容物の渦流が発生している空間の減圧が行われる。その結果、容器内容物が本発明による閉止装置１の開口部２２を通って周囲に、場合によっては消費者の顔に噴出することはない。これは例えば炭酸飲料において特に有利である。次の容器内容物８は互いに離れる方向に動かされる斜面３１、３１ａ（図３及び図４）を通過し、切欠き部４１によって形成された通路２７を通り、それから注ぎ用及び／又は飲用開口部２２から出ることができる。
【００５２】
容器９又は瓶を再び閉じる時は、第２のネジキャップ１９を右に回して初期位置まで戻す。図４参照。この場合、プランジャ２５が連行されて、第１のネジキャップ２の内面２４に再び密着する。切欠き部４１も再び上方に変位して、斜面３１、３１ａは再び互いに当接して、先に開かれた通路２７（図３）がガイド２６内で再び閉じられる。
【図面の簡単な説明】
【００５３】
【図１】本発明に係る閉止装置の変形例の初期ねじ込み位置における部分断面図。
【図２】図１の部分拡大図。
【図３】封止膜が切断されている、閉止装置の終端停止ねじ込み位置における図１に対応する側面図。
【図４】第２のネジキャップが初期ねじ込み位置に戻った後の閉止装置の図１及び図２に対応する側面図。
【図５】先行の図に従う閉止部材を斜め下から見た分解斜視図。
【図６】プランジャの下側の平面図。
【図１】
2009509885.tif 000003
【図２】
2009509885.tif 000004
【図３】
2009509885.tif 000005
【図４】
2009509885.tif 000006
【図５】
2009509885.tif 000007
【図６】
2009509885.tif 000008
【国際調査報告】
2009509885.tif 000009
2009509885.tif 000010
2009509885.tif 000011
2009509885.tif 000012
2009509885.tif 000013
2009509885.tif 000014